(57)【要約】【課題】コルゲートチューブと同様に柔軟性があり、コルゲートチューブを切れ目の両側へ拡げる煩雑な作業を不要とし、電線の外径に応じて用意されるべき種類を少なくでき、電線の一部分のみを露出させる場合にも容易に対応できる電線保護具及びワイヤハーネスを提供すること。【解決手段】ワイヤハーネス１の電線保護具１０は、電線９の両側から組み合わされることにより筒を形成する第一カバー部材１１及び第二カバー部材１２を備える。第一カバー部材１１は、蛇腹構造を有することによって長手方向における柔軟性を有し、内側に電線９が挿入される溝を形成する半筒状の部材である。第一カバー部材１１の両側方の縁部の複数箇所に、外側へ向かって突出する貫通孔である複数の連結用孔１５が形成されている。第二カバー部材１２は、両側方の縁部の複数箇所に、連結用孔１５に嵌め入れられる複数の連結用突起部１６が形成されている。【選択図】図１
2012085441.tif 000002
【特許請求の範囲】
【請求項１】
電線の周囲を覆う筒を形成する電線保護具であって、
蛇腹構造を有することによって長手方向における柔軟性を有し、内側に前記電線が挿入される溝を形成する半筒状の部材であり、両側方の縁部の複数箇所に、外側へ向かって突出する連結用突起部及び該連結用突起部が嵌め入れられる貫通孔である連結用孔のうちの一方が形成された第一カバー部材と、
前記第一カバー部材と組み合わされることにより電線の周囲を覆う筒を形成する部材であり、両側方の縁部の複数箇所に、前記連結用突起部及び前記連結用孔のうちの他方が形成された第二カバー部材と、を備えることを特徴とする電線保護具。
【請求項２】
１つの前記第一カバー部材と、
前記第一カバー部材に対してその長手方向における一部を除く部分に組み合わされる、前記第一カバー部材よりも短い１つ又は複数の前記第二カバー部材と、を備える請求項１に記載の電線保護具。
【請求項３】
前記第二カバー部材は、蛇腹構造を有することによって長手方向における柔軟性を有し、内側に前記電線が挿入される溝を形成する半筒状の部材である、請求項１又は請求項２に記載の電線保護具。
【請求項４】
前記第二カバー部材は、前記第一カバー部材が形成する溝を塞ぐ板状の第一部分と、該第一部分の縁部の複数箇所において前記連結用突起部又は前記連結用孔が形成された第二部分と、が形成された部材である、請求項１又は請求項２に記載の電線保護具。
【請求項５】
前記第一カバー部材の縁部に前記連結用突起部が形成され、
前記第二カバー部材は、長手方向において曲がった板状に形成され前記第一カバー部材が形成する溝を塞ぐ前記第一部分と、該第一部分の両側方の縁部の複数箇所において前記第一部分に対して起立し前記連結用孔が形成された前記第二部分と、が形成された部材である請求項４に記載の電線保護具。
【請求項６】
電線と該電線の周囲を覆う筒を形成する電線保護具とを備えたワイヤハーネスであって、
前記電線保護具は、
蛇腹構造を有することによって長手方向における柔軟性を有し、内側に前記電線が挿入される溝を形成する半筒状の部材であり、両側方の縁部の複数箇所に、外側へ向かって突出する連結用突起部及び該連結用突起部が嵌め入れられる貫通孔である連結用孔のうちの一方が形成された第一カバー部材と、
前記第一カバー部材と組み合わされることにより電線の周囲を覆う筒を形成する部材であり、両側方の縁部の複数箇所に、前記連結用突起部及び前記連結用孔のうちの他方が形成された第二カバー部材と、を備えることを特徴とするワイヤハーネス。
【発明の詳細な説明】
【技術分野】
【０００１】
本発明は、電線の周囲を覆う電線保護具及びそれを備えたワイヤハーネスに関する。
【背景技術】
【０００２】
従来、自動車などの車両に搭載されるワイヤハーネスは、複数の電線の周囲を覆う電線保護具としてコルゲートチューブを備えることが多い。コルゲートチューブは、蛇腹構造を有することによって長手方向における柔軟性を有する筒状の部材である。電線は、コルゲートチューブで覆われることにより、振動又は可動部の動きに応じて周囲の部材との接触することがなくなり、耐久性が高まる。
【０００３】
また、コルゲートチューブは、通常、その長手方向全体に渡る一連の切れ目が形成されている。コルゲートチューブは、所定の治具を用いて切れ目の両側へ拡げられることによって長手方向全体に渡る隙間が形成され、電線は、その隙間からコルゲートチューブ内へ挿入される。また、電線が挿入されたコルゲートチューブは、電線が切れ目から外側へはみ出さないように、粘着テープで巻かれることによって筒状に保持される。
【０００４】
ところで、電線とコルゲートチューブとの隙間が大き過ぎると、ワイヤハーネスの配線に必要なスペースが無駄に大きくなり、さらに、コルゲートチューブ内で電線が移動して異音が発生するという問題が生じる。そのため、コルゲートチューブは、太さの異なる多くの種類が用意され、保護対象である一本の電線の外径又は複数本の電線全体の外径に応じて、特定の種類のコルゲートチューブが選定される。
【０００５】
また、特許文献１に示されたコルゲートチューブは、切れ目の両側の縁部に、相互に掛かり合う引っ掛け爪によって切れ目を塞ぐ状態に保持するロック機構を備える。特許文献１に示されたコルゲートチューブが採用されることにより、ワイヤハーネスの作製においてテーピングの工数が軽減されるという効果が得られる。
【先行技術文献】
【特許文献】
【０００６】
【特許文献１】特開２０００−２８７３３０号公報
【発明の概要】
【発明が解決しようとする課題】
【０００７】
しかしながら、電線挿入用の切れ目が形成された従来のコルゲートチューブは、電線の挿入のために、治具を用いてコルゲートチューブを切れ目の両側へ拡げる煩雑な作業を要するという問題点を有している。
【０００８】
また、従来のコルゲートチューブは、保護対象である電線又は電線束の外径に応じて、非情に多くの種類が用意される必要があるという問題点も有している。
【０００９】
また、電線束から一部の電線のみを分岐させたい場合、又は電線の全周方向を覆いたい部分と電線の全周方向における一部の方向のみを覆いたい部分とが併存する場合などにおいて、電線の保護対象範囲における一部分のみを露出させたい場合がある。そのような場合に、従来のコルゲートチューブは、露出させたい部分を切り欠くなどの煩雑な加工が必要となるという問題点を有している。
【００１０】
本発明は、コルゲートチューブと同様に柔軟性があり、電線の挿入のために、治具を用いてコルゲートチューブを切れ目の両側へ拡げる煩雑な作業を不要とし、保護対象である電線又は電線束の外径に応じて用意されるべき種類を少なくでき、さらに、電線の保護対象範囲における一部分のみを露出させたい場合に切り欠き加工などの煩雑な加工を必要としない電線保護具及びそのような電線保護具を備えたワイヤハーネスを提供することを目的とする。
【課題を解決するための手段】
【００１１】
本発明に係る電線保護具は、電線の周囲を覆う筒を形成する電線保護具であり、以下の各構成要素を備える。
（１）第１の構成要素は、蛇腹構造を有することによって長手方向における柔軟性を有し、内側に電線が挿入される溝を形成する半筒状の部材であり、両側方の縁部の複数箇所に、外側へ向かって突出する連結用突起部及びその連結用突起部が嵌め入れられる貫通孔である連結用孔のうちの一方が形成された第一カバー部材である。
（２）第２の構成要素は、第一カバー部材と組み合わされることにより電線の周囲を覆う筒を形成する部材であり、両側方の縁部の複数箇所に、連結用突起部及び連結用孔のうちの他方が形成された第二カバー部材である。
【００１２】
また、本発明に係る電線保護具が、１つの第一カバー部材と、第一カバー部材に対してその長手方向における一部を除く部分に組み合わされる、第一カバー部材よりも短い１つ又は複数の第二カバー部材と、を備えることも考えられる。
【００１３】
また、本発明に係る電線保護具において、第二カバー部材が、蛇腹構造を有することによって長手方向における柔軟性を有し、内側に電線が挿入される溝を形成する半筒状の部材であることが考えられる。
【００１４】
一方、本発明に係る電線保護具において、第二カバー部材が、第一カバー部材が形成する溝を塞ぐ板状の第一部分と、その第一部分の縁部の複数箇所において連結用突起部又は連結用孔が形成された第二部分と、が形成された部材であることも考えられる。
【００１５】
また、第一カバー部材の縁部に連結用突起部が形成されている場合、第二カバー部材は、長手方向において曲がった板状に形成され第一カバー部材が形成する溝を塞ぐ第一部分と、その第一部分における両側方の縁部の複数箇所において第一部分に対して起立し連結用孔が形成された第二部分と、が形成された部材であることが考えられる。
【００１６】
また、第二カバー部材における第一部分は、一の平面に沿って曲がった板状に形成されていることが考えられる。
【００１７】
また、本発明は、電線と、以上に示した本発明に係る電線保護具とを備えたワイヤハーネスの発明として捉えられてもよい。
【発明の効果】
【００１８】
本発明に係る電線保護具において、第一カバー部材は、蛇腹構造を有する半筒状の部材である。そのため、本発明に係る電線保護具が、１つの第一カバー部材と、その一部を除く部分に組み合わされる短い第二カバー部材とを備える場合、本発明に係る電線保護具は、第二カバー部材が設けられない部分において柔軟性を有する。また、その場合、電線の保護対象範囲における一部分のみが露出する状態となるが、そのような状態を実現するにあたり、第二カバー部材に対する切り欠き加工などの煩雑な加工は不要である。
【００１９】
また、第二カバー部材が、第一カバー部材と同様の蛇腹構造を有する場合も、本発明に係る電線保護具は、コルゲートチューブと同様に柔軟性を有することになる。
【００２０】
また、本発明に係る電線保護具は、電線の両側から組み合わされる第一カバー部材及び第二カバー部材を備えるため、従来のコルゲートチューブのように、治具を用いて切れ目のある筒状部材を拡げるという煩雑な作業を必要とせずに、電線に対して装着される。
【００２１】
さらに、本発明に係る電線保護具は、第一カバー部材が形成する溝の大きさと第二カバー部材の内側面の形状との組合せにより、筒の内側の空間の大きさが定まる。即ち、組合せ可能なＮ種類の第一カバー部材とＭ種類の第二カバー部材とが用意されること、即ち、（Ｎ＋Ｍ）種類の部材が用意されることにより、（Ｎ×Ｍ）通りの太さの電線保護具が用意されることになる。そのため、本発明に係る電線保護具は、従来のコルゲートチューブに比べ、保護対象である電線又は電線束の外径のとり得る範囲が広いほど、用意されるべき部材の種類を少なくできる。
【００２２】
また、第二カバー部材が、第一カバー部材が形成する溝を塞ぐ板状の第一部分と、連結用突起部又は連結用孔が形成された第二部分とが形成された部材でる場合、第二カバー部材は、蛇腹構造を有する部材とは異なり、撓みの小さな或いはほとんど撓まない部材となる。本発明に係る電線保護具において、そのような第二カバー部材は、柔軟性を有する第一カバー部材及び電線を予め定められた経路に沿って保持することができる。
【００２３】
例えば、第一カバー部材の縁部に連結用突起部が形成されている場合において、第二カバー部材の第一部分が、長手方向において曲がった板状に形成されていれば、第一カバー部材及び電線は、第二カバー部材の第一部分が形成する曲がった経路に沿って保持される。その結果、電線を予め定められた経路に沿って保持するための別個の部材及びその部材をワイヤハーネスに取り付ける工程が不要となる。
【図面の簡単な説明】
【００２４】
【図１】本発明の第１実施形態に係るワイヤハーネス１の分解斜視図である。
【図２】ワイヤハーネス１の側面図である。
【図３】ワイヤハーネス１が備える電線保護具１０を構成する第一カバー部材の平断面図である。
【図４】ワイヤハーネス１が備える電線保護具１０を構成する第二カバー部材の平断面図である。
【図５】ワイヤハーネス１が備える電線保護具１０の正断面図である。
【図６】ワイヤハーネス１が備える電線保護具１０の平断面図である。
【図７】ワイヤハーネス１の正断面図である。
【図８】本発明の第２実施形態に係るワイヤハーネス１Ａの側面図である。
【図９】本発明の第３実施形態に係るワイヤハーネス２が備える第二カバー部材の平面図である。
【図１０】ワイヤハーネス２の正断面図である。
【図１１】ワイヤハーネス２が備える電線保護具１０Ａの平面図である。
【図１２】本発明の第４実施形態に係るワイヤハーネス３が備える第二カバー部材の斜視図である。
【図１３】ワイヤハーネス３の斜視図である。
【図１４】本発明の第５実施形態に係るワイヤハーネス４が備える第二カバー部材の斜視図である。
【図１５】ワイヤハーネス４の斜視図である。
【発明を実施するための形態】
【００２５】
以下、添付の図面を参照しながら、本発明の実施形態について説明する。以下の実施形態は、本発明を具体化した一例であり、本発明の技術的範囲を限定する事例ではない。本発明の実施形態に係るワイヤハーネスは、例えば、自動車などの車両に搭載され、バッテリ又はインバータ回路などの電力供給源と電装機器との間、又は複数の電装機器相互間を接続する。
【００２６】
＜第１実施形態＞
まず、図１から図７を参照しつつ、本発明の第１実施形態に係るワイヤハーネス１について説明する。ワイヤハーネス１は、例えば、電動車両のバッテリ又はインバータ回路などの電力供給源とモータなどの電装機器との間を接続する。図１から図４に示されるように、ワイヤハーネス１は、１本又は複数本の電線９と、電線保護具１０とを備える。また、電線保護具１０は、電線９の両側から組み合わされることによって電線９の周囲を覆う筒を形成する２つの部材を備える。以下、２つの部材の一方を第一カバー部材１１と称し、他方を第二カバー部材１２と称する。なお、図１及び図７において、電線９は仮想線（二点鎖線）により示されている。
【００２７】
＜電線＞
電線９は、導線が絶縁被覆によって覆われたケーブルであり、例えば、丸ケーブル又はフラットケーブルなどである。また、電線９の端部には、通常、不図示のコネクタが設けられている。電線９は、その周囲に電線保護具１０が取り付けられることにより、周囲に存在する物体との接触による破損が防がれる。また、電線９と電線保護具１０との間には、電線９の周囲を覆う編組線などのシールド部材が設けられることもある。
【００２８】
＜電線保護具＞
電線保護具１０は、電線９の周囲を覆う筒を形成する用具であり、第一カバー部材１１及び第二カバー部材１２を備えている。第一カバー部材１１及び第二カバー部材１２は、電線９の両側から組み合わされることにより、電線９の周囲を覆う筒を形成する。電線保護具１０を構成する第一カバー部材１１及び第二カバー部材１２各々は、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。
【００２９】
＜電線保護具：第一カバー部材＞
第一カバー部材１１は、その長手方向に沿って表面に出っ張り部１３とへこみ部１４とが交互に連続して形成された蛇腹構造を有している。この蛇腹構造により、第一カバー部材１１は、その長手方向において湾曲しやすい柔軟性を有している。
【００３０】
なお、各図において、出っ張り部１３は、第一カバー部材１１における外側の周面において相対的に出っ張った部分を示しているが、外側の出っ張り部１３の裏側に位置する内側の面は、相対的にへこんで形成されている。同様に、外側のへこみ部１４は、第一カバー部材１１における外側の周面において相対的にへこんだ部分を示しているが、外側のへこみ部１４の裏側に位置する内側の面は、相対的に出っ張って形成されている。
【００３１】
第一カバー部材１１は、内側に電線９が挿入される溝を形成する半筒状の部材である。本実施形態において、第一カバー部材１１は、蛇腹式の周面が形成された半円筒状の部材である。しかしながら、第一カバー部材１１は、蛇腹式の周面が形成され、内側に電線９が挿入される溝を形成する半筒状の部材であれば、他の形状の部材であってもよい。例えば、第一カバー部材１１は、蛇腹式の周面が形成された半楕円筒状又は半四角な筒状の部材であることも考えられる。
【００３２】
また、第一カバー部材１１における両側方の縁部の複数箇所に、貫通孔である連結用孔１５が形成されている。この連結用孔１５は、第二カバー部材１２の縁部に形成された連結用突起部１６が嵌め入れられる貫通孔である。連結用突起部１６に関する詳細な説明は後に記載されている。
【００３３】
なお、図３は、第一カバー部材１１における両側方の連結用孔１５を通る平面での平断面図である。また、図５は、電線保護具１０における両側方の連結用孔１５を通る平面での正断面図である。また、図６は、電線保護具１０における両側方の連結用孔１５を通る平面での平断面図である。また、図７は、ワイヤハーネス１における電線保護具１０の両側方の連結用孔１５を通る平面での正断面図である。
【００３４】
図１及び図３に示される例では、連結用孔１５は、蛇腹構造を有する第一カバー部材１１の外周面における出っ張り部１３の縁部に形成されている。しかしながら、連結用孔１５が、第一カバー部材１１の外周面におけるへこみ部１４の縁部に形成されることも考えられる。
【００３５】
また、図１及び図３に示される例では、第一カバー部材１１の外周面における１つの出っ張り部１３の範囲内に１つの連結用孔１５が形成されている。しかしながら、第一カバー部材１１の外周面における複数の出っ張り部１３に渡る範囲に対して１つの連結用孔１５が形成されることも考えられる。
【００３６】
＜電線保護具：第二カバー部材＞
第二カバー部材１２は、第一カバー部材１１と同様に、その長手方向に沿って表面に出っ張り部１３とへこみ部１４とが交互に連続して形成された蛇腹構造を有している。この蛇腹構造により、第二カバー部材１２は、その長手方向において湾曲しやすい柔軟性を有している。
【００３７】
第二カバー部材１２は、内側に電線９が挿入される溝を形成する半筒状の部材である。本実施形態において、第二カバー部材１２は、蛇腹式の周面が形成された半円筒状の部材である。しかしながら、第二カバー部材１２は、蛇腹式の周面が形成され、内側に電線９が挿入される溝を形成する半筒状の部材であれば、他の形状の部材であってもよい。例えば、第二カバー部材１２は、蛇腹式の周面が形成された半楕円筒状又は半角柱状の部材であることも考えられる。
【００３８】
また、第二カバー部材１２における両側方の縁部の複数箇所、即ち、第一カバー部材１１における複数の連結用孔１５各々に対応する箇所に、筒の外側へ向かって突出する突起部である連結用突起部１６が形成されている。この連結用突起部１６は、第一カバー部材１１の縁部に形成された連結用孔１５に嵌め入れられる突起部である。
【００３９】
なお、図４は、第二カバー部材１２における両側方の連結用突起部１６を通る平面での平断面図である。
【００４０】
図１及び図４に示される例では、連結用突起部１６は、蛇腹構造を有する第二カバー部材１２の外周面における出っ張り部１３の縁部に形成されている。しかしながら、連結用孔１５が、第一カバー部材１１の外周面におけるへこみ部１４の縁部に形成されている場合には、連結用突起部１６は、第二カバー部材１２の外周面におけるへこみ部１４の縁部に形成される。
【００４１】
また、図１及び図４に示される例では、第二カバー部材１２の外周面における１つの出っ張り部１３の範囲内に１つの連結用突起部１６が形成されている。しかしながら、第一カバー部材１１の外周面における複数の出っ張り部１３に渡る範囲に対して１つの連結用孔１５が形成されている場合には、第二カバー部材１２の外周面における複数の出っ張り部１３に渡る範囲に対して１つの連結用突起部１６が形成される。即ち、連結用孔１５及び連結用突起部１６は、第一カバー部材１１及び第二カバー部材１２各々の長手方向において対応する位置に設けられる。
【００４２】
また、図３，図４及び図６に示されるように、第二カバー部材１２の出っ張り部１３における外側の面の形状は、第一カバー部材１１における出っ張り部１３に対して反対側の内側の面の形状とほぼ同じ形状で形成されている。同様に、第二カバー部材１２のへこみ部１４における外側の面の形状は、第一カバー部材１１におけるへこみ部１４に対して反対側の内側の面の形状とほぼ同じ形状で形成されている。即ち、第二カバー部材１２の縁部は、第一カバー部材１１の縁部の内側に嵌り込む形状で形成されている。
【００４３】
また、図２、図６及び図７に示されるように、第一カバー部材１１及び第二カバー部材１２は、電線９の両側から、それぞれの縁部が重なるように組み合わされ、連結用突起部１６が連結用孔１５に対してその内側から外側へ貫通するように挿入される。また、図５に示されるように、連結用突起部１６の先端部における相手側のカバー部材に対向する側の部分１６１は、角張らない面取りされた形状で形成されている。これにより、連結用突起部１６を連結用孔１５へ嵌め入れる作業が円滑化される。
【００４４】
一方、連結用突起部１６の先端部における相手側のカバー部材に対向する側とは反対側の部分は、角が形成されている。これにより、連結用孔１５に挿入された連結用突起部１６は、連結用孔１５から外れにくい。
【００４５】
電線保護具１０を構成する第一カバー部材１１及び第二カバー部材１２は、連結用孔１５と連結用突起部１６との嵌め入れ機構によって筒状に保持される。また、電線保護具１０において、第一カバー部材１１及び第二カバー部材１２は、同等の長さで形成されている。そのため、それらが組み合わせにより構成される電線保護具１０は、その長手方向全体に渡って、電線９の周囲を囲う筒状に形成される。なお、電線保護具１０において、第二カバー部材１２が、第一カバー部材１１の長さよりも短く形成されていることも考えられる。
【００４６】
＜効果＞
電線保護具１０において、第一カバー部材１１及び第二カバー部材１２は、蛇腹構造を有する半筒状の部材である。従って、それらの組合せにより構成される電線保護具１０は、従来のコルゲートチューブと同様に、長手方向において柔軟性を有する。
【００４７】
また、電線保護具１０は、電線９の両側から組み合わされる第一カバー部材１１及び第二カバー部材１２を備えるため、従来のコルゲートチューブのように、治具を用いて切れ目のある筒状部材を拡げるという煩雑な作業を必要とせずに、電線９に対して装着される。従って、電線保護具１０を電線９に装着する作業は、従来のコルゲートチューブを電線９に装着する作業よりも容易である。
【００４８】
また、電線保護具１０は、第一カバー部材１１が形成する溝の大きさと第二カバー部材１２の内側面の形状との組合せにより、筒の内側の空間の大きさが定まる。即ち、組合せ可能なＮ種類の第一カバー部材１１とＭ種類の第二カバー部材１２とが用意されること、即ち、（Ｎ＋Ｍ）種類の部材が用意されることにより、（Ｎ×Ｍ）通りの太さの電線保護具１０が用意されることになる。そのため、電線保護具１０は、従来のコルゲートチューブに比べ、保護対象である１本又は複数の電線９の外径のとり得る範囲が広いほど、用意されるべき部材の種類を少なくできる。
【００４９】
＜第２実施形態＞
次に、図８を参照しつつ、本発明の第２実施形態に係るワイヤハーネス１Ａ及びそのワイヤハーネス１Ａが備える電線保護具１０について説明する。ワイヤハーネス１Ａは、ワイヤハーネス１と比較して、第一カバー部材１１及び第二カバー部材１２の長さ及びそれらの組合せ方のみが異なる。図８において、図１から図７に示される構成要素と同じ構成要素は、同じ参照符号が付されている。以下、ワイヤハーネス１Ａにおけるワイヤハーネス１と異なる部分についてのみ説明する。
【００５０】
図８に示されるように、ワイヤハーネス１Ａが備える電線保護具１０は、１つの第一カバー部材１１と、その１つの第一カバー部材１１に対して組み合わされる複数の第二カバー部材１２とを備える。複数の第二カバー部材１２各々は、その長手方向の長さが第一カバー部材１１の長さよりも短く形成されている。
【００５１】
また、複数の第二カバー部材１２は、１つの第一カバー部材１１に対し、その第一カバー部材１１の長手方向において間隔を空けて組み合わされる。即ち、第二カバー部材１２は、１つの第一カバー部材１１に対してその長手方向における一部を除く部分に組み合わされる。
【００５２】
ワイヤハーネス１Ａにおいて、電線９における第二カバー部材１２が設けられた範囲は、全周方向が電線保護具１０によって覆われている。一方、電線９における第二カバー部材１２が設けられていない範囲は、全周方向における一部の方向において第一カバー部材１１により覆われ、その他の方向において露出した状態となっている。
【００５３】
＜効果＞
ワイヤハーネス１Ａが採用された場合、ワイヤハーネス１が採用された場合と同様の効果が得られる。さらに、ワイヤハーネス１Ａが備える電線保護具１０は、電線９の保護対象範囲における一部分のみを露出させたい場合に有効である。例えば、複数の電線９の束から一部の電線９のみを分岐させたい場合、複数の第二カバー部材１２の隙間の部分から一部の電線９を分岐させることができる。また、そのような状態を実現するにあたり、第二カバー部材１２に対する切り欠き加工などの煩雑な加工は不要である。
【００５４】
＜第３実施形態＞
次に、図９から図１１を参照しつつ、本発明の第３実施形態に係るワイヤハーネス２及びそのワイヤハーネス２が備える電線保護具１０Ａについて説明する。ワイヤハーネス２は、ワイヤハーネス１と比較して、第二カバー部材１２が他の形状の第二カバー部材１２Ａに置き換えられた構成を備えている。図９から図１１において、図１から図７に示される構成要素と同じ構成要素は、同じ参照符号が付されている。以下、ワイヤハーネス２におけるワイヤハーネス１と異なる部分についてのみ説明する。
【００５５】
ワイヤハーネス２における電線保護具１０Ａは、第一カバー部材１１と第二カバー部材１２Ａとを備える。図９は、第二カバー部材１２Ａの平面図である。また、図１１は、電線保護具１０Ａの平面図である。
【００５６】
第二カバー部材１２Ａは、それ全体が直線に沿って伸びた平板状に形成されている。さらに、第二カバー部材１２Ａは、図９及び図１１に示されるように、第一カバー部材１１の溝を塞ぐ基部１２１と、その基部１２１の両側方の縁部の複数箇所に位置する複数の連結用突起部１６とが形成されている。
【００５７】
第二カバー部材１２Ａは、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。また、第二カバー部材１２Ａは、鉄又はアルミニウムなどの金属の部材であることも考えられる。
【００５８】
また、図９及び図１１に示されるように、第二カバー部材１２Ａにおける平板状の基部１２１の両側方の縁部に、出っ張り部１３Ａ及びへこみ部１４Ａが形成されている。これら出っ張り部１３Ａ及びへこみ部１４Ａは、図１１に示されるように、第一カバー部材１１の出っ張り部１３及びへこみ部１４各々の内側（裏側）の面が形成するへこみ部分及び出っ張り部分と嵌り合う部分である。
【００５９】
図９及び図１１に示される例では、連結用突起部１６は、第二カバー部材１２Ａにおける出っ張り部１３Ａの部分に形成されている。しかしながら、連結用孔１５が、第一カバー部材１１の外周面におけるへこみ部１４の縁部に形成されている場合には、連結用突起部１６は、第二カバー部材１２Ａのへこみ部１４Ａの部分に形成される。
【００６０】
また、図９及び図１１に示される例では、第二カバー部材１２Ａにおける１つの出っ張り部１３Ａの範囲内に１つの連結用突起部１６が形成されている。しかしながら、第一カバー部材１１の外周面における複数の出っ張り部１３に渡る範囲に対して１つの連結用孔１５が形成されている場合には、第二カバー部材１２Ａおける複数の出っ張り部１３Ａに渡る範囲に対して１つの連結用突起部１６が形成される。即ち、連結用孔１５及び連結用突起部１６は、第一カバー部材１１及び第二カバー部材１２Ａ各々の長手方向において対応する位置に設けられる。
【００６１】
図１０は、ワイヤハーネス２における電線保護具１０Ａの両側方の連結用孔１５を通る平面での正断面図である。図１０に示されるように、電線保護具１０Ａを構成する第一カバー部材１１及び第二カバー部材１２Ａは、連結用孔１５と連結用突起部１６との嵌め入れ機構によって筒状に保持される。なお、図１０において、電線９は仮想線（二点鎖線）により示されている。
【００６２】
また、電線保護具１０Ａにおいて、第一カバー部材１１と第二カバー部材１２Ａとが１対１で組み合わされる場合と、１つの第一カバー部材１１に対して複数の第二カバー部材１２Ａが組み合わされる場合とが考えられる。後者の場合、ワイヤハーネス１Ａと同様に、複数の第二カバー部材１２Ａ各々は、その長手方向の長さが第一カバー部材１１の長さよりも短く形成される。また、複数の第二カバー部材１２Ａは、１つの第一カバー部材１１に対し、その第一カバー部材１１の長手方向において間隔を空けて組み合わされる。
【００６３】
＜効果＞
電線保護具１０Ａにおいて、第一カバー部材１１は、蛇腹構造を有する半筒状の部材である。従って、電線保護具１０Ａは、第二カバー部材１２Ａが設けられない部分においては、従来のコルゲートチューブと同様に、長手方向において柔軟性を有する。その他、電線保護具１０Ａが採用されることにより、電線保護具１０が採用される場合と同様の効果が得られる。
【００６４】
一方、第二カバー部材１２Ａは、蛇腹構造を有する第二カバー部材１２とは異なり、撓みの小さな或いはほとんど撓まない部材である。従って、電線保護具１０Ａにおいて、第二カバー部材１２Ａは、柔軟性を有する第一カバー部材１１及び電線９を予め定められた直線経路に沿って保持することができる。
【００６５】
また、図１０に示されるように、電線保護具１０Ａは、自動車のボディなどの支持体８における平坦な面に対し、第二カバー部材１２Ａにおける平板状の基部１２１が対向する向きで配置されることにより、支持体８との隙間がほとんど生じない状態で敷設される。その結果、配線のスペース効率が向上するとともに、電線保護具１０Ａが安定した状態で敷設される。
【００６６】
＜第４実施形態＞
次に、図１２及び図１３を参照しつつ、本発明の第４実施形態に係るワイヤハーネス３及びそのワイヤハーネス３が備える電線保護具１０Ｂについて説明する。電線保護具１０Ｂは、電線９の両側から組み合わされることによって電線９の周囲を覆う筒を形成する第一カバー部材１１Ａ及び第二カバー部材１２Ｂを備える。図１２は、第二カバー部材１２Ｂの斜視図、図１３は、電線保護具１０Ｂを備えるワイヤハーネス３の斜視図である。なお、図１３において、電線９は仮想線（二点鎖線）により示されている。
【００６７】
第一カバー部材１１Ａは、電線保護具１０における第二カバー部材１２と同じ部材である。即ち、電線保護具１０Ｂにおいては、第一カバー部材１１Ａの両側方の縁部における複数箇所に、複数の連結用突起部１６が形成されている。
【００６８】
また、第二カバー部材１２Ｂは、第一カバー部材１１Ａが形成する溝を覆う平板状の基部１２１と、その基部１２１の両側方の縁部に起立して形成された起立部１２２とが形成された部材である。第二カバー部材１２Ｂの基部１２１は、直線に沿って伸びた平板状に形成されている。起立部１２２は、第一カバー部材１１Ａに対向する方向へ起立して形成されている。第二カバー部材１２Ｂも、第二カバー部材１２Ａと同様の材料で構成される部材である。
【００６９】
また、基部１２１の両側方の縁部に位置する起立部１２２には、第二カバー部材１２Ｂの長手方向における複数箇所において、貫通孔である複数の連結用孔１５が形成されている。
【００７０】
図１３に示されるように、第一カバー部材１１Ａ及び第二カバー部材１２Ｂは、第一カバー部材１１Ａの両側方の縁部の外側に、第二カバー部材１２Ｂにおける両側方の起立部１２２が重なる状態で組み合わされる。そして、第一カバー部材１１Ａにおける複数の連結用突起部１６各々は、第二カバー部材１２Ｂの起立部１２２における複数の連結用孔１５各々に対して内側から外側へ貫通するように嵌め入れられる。電線保護具１０Ｂを構成する第一カバー部材１１Ａ及び第二カバー部材１２Ｂは、連結用孔１５と連結用突起部１６との嵌め入れ機構によって筒状に保持される。
【００７１】
また、電線保護具１０Ｂにおいて、第一カバー部材１１Ａと第二カバー部材１２Ｂとが１対１で組み合わされる場合と、１つの第一カバー部材１１Ａに対して複数の第二カバー部材１２Ｂが組み合わされる場合とが考えられる。後者の場合、ワイヤハーネス１Ａと同様に、複数の第二カバー部材１２Ｂ各々は、その長手方向の長さが第一カバー部材１１Ａの長さよりも短く形成される。また、複数の第二カバー部材１２Ｂは、１つの第一カバー部材１１Ａに対し、その第一カバー部材１１Ａの長手方向において間隔を空けて組み合わされる。
【００７２】
電線保護具１０Ｂ及びそれを備えたワイヤハーネス３が採用された場合、図１０及び図１１に示される電線保護具１０Ａ及びそれを備えたワイヤハーネス２が採用された場合と同様の効果が得られる。
【００７３】
＜第５実施形態＞
次に、図１４及び図１５を参照しつつ、本発明の第５実施形態に係るワイヤハーネス３Ａ及びそのワイヤハーネス３Ａが備える電線保護具１０Ｃについて説明する。電線保護具１０Ｃは、図１３に示された電線保護具１０Ｂと比較して、第二カバー部材１２Ｂが他の形状の第二カバー部材１２Ｃに置き換えられた構成を備えている。図１４及び図１５において、図１２及び図１３に示される構成要素と同じ構成要素は、同じ参照符号が付されている。以下、ワイヤハーネス３Ａにおけるワイヤハーネス３と異なる部分についてのみ説明する。
【００７４】
ワイヤハーネス３Ａにおける電線保護具１０Ｃは、第一カバー部材１１Ａと第二カバー部材１２Ｃとを備える。図１４は、第二カバー部材１２Ｃの斜視図である。また、図１５は、電線保護具１０Ｃを備えるワイヤハーネス３Ａの斜視図である。なお、図１５において、電線９は仮想線（二点鎖線）により示されている。
【００７５】
第二カバー部材１２Ｃは、第二カバー部材１２Ｂと同様に、第一カバー部材１１Ａが形成する溝を覆う平板状の基部１２１と、その基部１２１の両側方の縁部に起立して形成された起立部１２２とが形成された部材である。但し、第二カバー部材１２Ｃの基部１２１は、その一部に曲がり部１２３が形成されている。即ち、第二カバー部材１２Ｃの基部１２１は、曲がった平板状に形成されている。電線保護具１０Ｃにおける第二カバー部材１２Ｃも、電線保護具１０Ａ，１０Ｂにおける第二カバー部材１２Ａ，１２Ｂと同様の材料で構成される部材である。
【００７６】
また、第二カバー部材１２Ｃの基部１２１の両側方の縁部に位置する起立部１２２には、第二カバー部材１２Ｃの長手方向における複数箇所において、貫通孔である複数の連結用孔１５が形成されている。
【００７７】
図１５に示されるように、第一カバー部材１１Ａ及び第二カバー部材１２Ｃは、第一カバー部材１１Ａの両側方の縁部の外側に、第二カバー部材１２Ｃにおける両側方の起立部１２２が重なる状態で組み合わされる。そして、第一カバー部材１１Ａにおける複数の連結用突起部１６各々は、第二カバー部材１２Ｃの起立部１２２における複数の連結用孔１５各々に対して内側から外側へ貫通するように嵌め入れられる。電線保護具１０Ｃを構成する第一カバー部材１１Ａ及び第二カバー部材１２Ｃは、連結用孔１５と連結用突起部１６との嵌め入れ機構によって筒状に保持される。
【００７８】
また、電線保護具１０Ｃにおいて、第一カバー部材１１Ａと第二カバー部材１２Ｃとが１対１で組み合わされる場合と、１つの第一カバー部材１１Ａに対して複数の第二カバー部材１２Ｃが組み合わされる場合とが考えられる。図１５は前者の場合を例示する図である。後者の場合、ワイヤハーネス１Ａと同様に、複数の第二カバー部材１２Ｃ各々は、その長手方向の長さが第一カバー部材１１Ａの長さよりも短く形成される。また、複数の第二カバー部材１２Ｃは、１つの第一カバー部材１１Ａに対し、その第一カバー部材１１Ａの長手方向において間隔を空けて組み合わされる。
【００７９】
電線保護具１０Ｃ及びそれを備えたワイヤハーネス３Ａが採用された場合、図１２及び図１３に示される電線保護具１０Ｂ及びそれを備えたワイヤハーネス３が採用された場合と同様の効果が得られる。但し、第二カバー部材１２Ｃの基部１２１には曲がり部１２３が形成されているため、第二カバー部材１２Ａは、柔軟性を有する第一カバー部材１１Ａ及び電線９を予め定められた曲線経路に沿って保持することができる。従って、電線保護具１０Ｃは、電線９の配線経路が曲がった経路である場合に採用される。
【００８０】
なお、図１４及び図１５に示される例では、第二カバー部材１２Ｃにおける基部１２１は、一の平面に沿って曲がった平板状に形成されている。しかしながら、第二カバー部材１２Ｃにおける基部１２１が、第一カバー部材１１Ａに対向する内側面又はその反対の外側面の側へ曲がった板状に形成されることも考えられる。
【００８１】
＜その他＞
図９、図１３及び図１５に示された第二カバー部材１２Ａ、１２Ｂ，１２Ｃにおいて、基部１２１は平板状であるが、第二カバー部材１２Ｂ，１２Ｃにおける基部１２１は、平坦ではない板状であることも考えられる。例えば、第二カバー部材１２Ｂ，１２Ｃにおける基部１２１が、第一カバー部材１１Ａに対向する面において電線９が挿入される溝を形成する半筒状の板であることも考えられる。
【００８２】
なお、以上に示した各実施形態において、第一カバー部材１１，１１Ａと第二カバー部材１２，１２Ａ，１２Ｂ，１２Ｃとは、連結用孔１５と連結用突起部１６とにより連結されるが、粘着テープによるテーピングが全く不要というわけではない。例えば、第一カバー部材１１，１１Ａの両端部分においては、第一カバー部材１１，１１Ａを電線９に固定するためのテーピングが必要である。但し、本発明に係るワイヤハーネス１，１Ａ，２，３，３Ａは、連結用孔１５及び連結用突起部１６からなる連結機構を有するため、従来の切れ目が形成されたコルゲートチューブに比べ、テーピングの工数が軽減される。
【符号の説明】
【００８３】
１，１Ａ、２，３，３Ａ  ワイヤハーネス
８  支持体
９  電線
１０，１０Ａ，１０Ｂ，１０Ｃ  電線保護具
１１，１１Ａ  第一カバー部材
１２，１２Ａ，１２Ｂ，１２Ｃ  第二カバー部材
１３，１３Ａ  出っ張り部
１４，１４Ａ  へこみ部
１５  連結用孔
１６  連結用突起部
１２１  第二カバー部材の基部
１２２  第二カバー部材の起立部
１２３  曲がり部
【図１】
2012085441.tif 000003
【図２】
2012085441.tif 000004
【図３】
2012085441.tif 000005
【図４】
2012085441.tif 000006
【図５】
2012085441.tif 000007
【図６】
2012085441.tif 000008
【図７】
2012085441.tif 000009
【図８】
2012085441.tif 000010
【図９】
2012085441.tif 000011
【図１０】
2012085441.tif 000012
【図１１】
2012085441.tif 000013
【図１２】
2012085441.tif 000014
【図１３】
2012085441.tif 000015
【図１４】
2012085441.tif 000016
【図１５】
2012085441.tif 000017